(57)【特許請求の範囲】
【請求項１】
川の上流側と下流側に間隔をあけて上流側の石積み部分（１０ａ）と下流側の石積み部分（１０ｂ）が川幅方向に構築され、上流側の石積み部分（１０ａ）は大きな個々の自然石（１）が上流側から下流側に向けて斜め下向きにして、且つ流れの方向に横長にして川底（２）から上方に積み重ねて構築され、下流側の石積み部分（１０ｂ）は大きな個々の自然石（１）が下流側から上流側に向けて斜め下向きにして、且つ流れの方向に横長にして川底（２）から上方に積み重ねて構築され、上流側と下流側の石積み部分（１０ａ、１０ｂ）の内側の中込め部分（１１）の全般に前記自然石（１）よりも小さな栗石（７）が川底（２）から上方に詰め込まれ、上流側と下流側の石積み部分（１０ａ、１０ｂ）と前記栗石（７）の上部に栗石（７）よりも大きな自然石（１）を配置し、上流から流れてくる水が上流側の石積み部分（１０ａ）の自然石（１）間から中込め部分（１１）に流れ込み、栗石（７）の間を通って濾過されて下流側の石積み部分（１０ｂ）の自然石（１）間を通過して下流に流出するようにしたことを特徴とする河川の通水型堰堤構造。
【請求項２】
請求項１記載の河川の通水型堰堤構造において、下流側の石積み部分（１０ｂ）の上部の自然石（１）の下流側側面に止め具（３）を取り付け、その止め具（３）同士を鎖（４）で連結して前記止め具（３）を取り付けた自然石（１）同士を連結したことを特徴とする河川の通水型堰堤構造。
【発明の詳細な説明】
【０００１】
【発明の属する技術分野】
本発明は川底に敷く敷石が水流で流されたり、河川に石を積み重ねて構築した堰堤が水流で崩されたりしないようにした河川の通水型堰堤構造に関するものである。
【０００２】
【従来の技術】
一部の河川には、川底や堰堤がコンクリート製のものがある。しかし、コンクリート製にすると河川に植物が生えにくくなるとか、魚介類が生息しにくくなるといった事態が発生し、自然環境が破壊され易くなる。また、自然の景観も損なわれる。
【０００３】
そこで近年は、自然環境を維持し、回復するために、図８のように川底に自然石Ａを敷いている。この場合、敷石が水流で動かされたり、流されたりしないようにするため、敷石Ａ同士をアンカーボルトやアンカーピン等の止め具で連結している。止め具は敷石の上面に穴をあけて打ち込んだり、差し込んだりし、それら止め具同士を鎖や番線で連結して敷石同士を連結している。
【０００４】
【発明が解決しようとする課題】
従来の敷石構造では、止め具、鎖、番線等が敷石の上に突出しているため次のような課題があった。
１．魚釣りをすると、釣り糸や釣り針が止め具や鎖に引っ掛かって釣り糸が切れることが多々ある。
２．上流から流れてきた塵芥や流木が止め具や鎖に引っ掛かり易く、川底に塵芥や流木が溜って川が汚染されたり、水の流れが悪くなって洪水の一因になったりし、自然破壊の一因となっている。
３．魚が川底に残っている釣り糸や釣り針を飲み込んで死亡することがある。
４．川底に塵芥が溜ると水流の抵抗が大きくなり、敷石が水流で押し流され易くなる。
５．堰堤は依然としてコンクリート製であるため、堰堤が水の抵抗となり、大きな水圧が堰堤にかかる。堰堤をその水圧に耐えるようにする（耐水圧を高める）ためには、堰堤を強度に優れたものにしなければならず、堰堤が大規模になり、構築が面倒であり、コストも高くなる。
【０００５】
【課題を解決するための手段】
本発明は自然石を積み重ねて構築した河川の通水型堰堤構造に関するものである。
【０００６】
本発明の請求項１記載の河川の通水型堰堤構造は、川の上流側と下流側に間隔をあけて上流側の石積み部分１０ａと下流側の石積み部分１０ｂが川幅方向に構築され、上流側の石積み部分１０ａは大きな個々の自然石１が上流側から下流側に向けて斜め下向きにして、且つ流れの方向に横長にして川底２から上方に積み重ねて構築され、下流側の石積み部分１０ｂは大きな個々の自然石１が下流側から上流側に向けて斜め下向きにして、且つ流れの方向に横長にして川底２から上方に積み重ねて構築され、上流側と下流側の石積み部分１０ａ、１０ｂの内側の中込め部分１１の全般に前記自然石１よりも小さな栗石７が川底２から上方に詰め込まれ、上流側と下流側の石積み部分１０ａ、１０ｂと前記栗石７の上部に栗石７よりも大きな自然石１を配置し、上流から流れてくる水が上流側の石積み部分１０ａの自然石１間から中込め部分１１に流れ込んで栗石７の間を通って濾過され、下流側の石積み部分１０ｂの自然石１間を通過して下流に流出するようにしたものである。
【０００７】
本発明の請求項２記載の河川の通水型堰堤構造は、請求項１記載の河川の通水型堰堤構造において、下流側の石積み部分１０ｂの上部の自然石１の下流側側面に止め具３を取り付け、その止め具３同士を鎖４で連結して前記止め具３を取り付けた自然石１同士を連結したものである。
【０００８】
【０００９】
【００１０】
【００１１】
【００１２】
【００１３】
【発明の実施の形態】
（敷石構造の実施例）
図１〜４は敷石構造の説明図である。図１は本発明の河川の敷石構造の一実施形態の平面図であり、川底２の全般に多数の自然石１が並べて敷かれている。この場合、図２（ａ）のように川底２に枠５を固定し、その内側に自然石１を敷くと、並べる自然石１を位置決めし易く、また、自然石１が動きにくくなる。枠５には丸材、角材、太鼓落とし材等を使用することができる。角材、太鼓落とし材を使用すると、枠５の内面が平面になるので、自然石を並べ易くなり、自然石との透き間が小さくなって釣り針やゴミが引っ掛かりにくくなる。枠５は無くても良い。
【００１４】
敷かれた自然石１のうち、最外周の自然石にはアンカーボルト、アンカーピン、ボルト等の止め具３が取り付けられ、横に隣り合う自然石１の止め具３に鎖４を係止して、両自然石１を連結してある。この場合、鎖４が長いと連結された自然石が水流によって動き易くなるため、図２（ｂ）のように環が２〜４個程度連結された短い鎖４を使用して、鎖４で連結された自然石１を動きにくくしてある。自然石１に止め具３を取り付ける場合は、削岩機とか他の穴あけ機で自然石１に穴を開け、そこに止め具３を差し込んだり、打ち込んだりしてから、コンクリートや接着剤等で自然石１に固定する。止め具３には図４に示すように、環状の止め部８を備えたものを使用してある。止め部８の形状はこれに限定されず、鎖４を係止し易く、係止した鎖４が外れにくいものであれば、他の形状、構造のものでも使用することができる。止め具３は図４に示すように、自然石１の外周面から内側に斜め下向きに打ち込んで、止め具３が抜けにくくなるようにしてある。
【００１５】
自然石１は川底に一段敷くだけで良いが、必要であれば全体或は一部を二段とか三段に重ねて敷くこともできる。また、鎖で連結する横に隣り合う自然石（敷石）１は横に隣り合う全ての自然石１同士を連結してもよく、一部の自然石１同士だけを連結してもよい。また、最外周の自然石１同士を連結するだけで無く、必要であれば最外周よりも内側の自然石１同士をも連結することができる。
【００１６】
（堰堤構造の実施例）
本発明の通水型堰堤構造の実施形態の一例を図５〜図７に基づいて説明する。図５に示すものは川底２から上方に自然石１を積み重ねて構築した通水型の堰堤６であり、上流側と下流側とに間隔をあけて大きな自然石１を積み重ねて石積み部分１０ａ、１０ｂを川幅方向に構築し、その内側の中込め部分（前記間隔部分）１１の全般に前記自然石１よりも小さな栗石７を詰め込んである。図５に明示されているように、石積み部分１０ａ、１０ｂの自然石１は外側から内側に向けて下り傾斜に（図５の上流側の石積み部分１０ａの自然石１は上流側から下流側に向けて下り傾斜に、下流側の石積み部分１０ｂの自然石１は下流側から上流側に向けて下り傾斜に）積み重ねられている。また、図５、図７に明示されているように、積み重ねた自然石１と栗石７の上に栗石７よりも大きな自然石１が重ねられている。更に、図２（ａ）に明示するように、図５の構造の通水型の堰堤６の下流側の川底には自然石１が敷設されている。積み重ねた自然石１のうち、下流側で且つ川底側の二段の自然石１の側面に止め具３を固定し、その上下の止め具３に鎖４を係止して、上下二つの自然石１を連結してある。また、積み重ねた自然石１のうち、上の数段の自然石１を上下と横に止め具３と鎖４で連結してある。
【００１７】
【発明の効果】
本発明の請求項１、２の河川の通水型堰堤構造は次のような効果がある。
１．上流側の石積み部分と下流側の石積み部分との間の中込め部分の全般に栗石を配置したので、堰堤を通過する水が栗石で濾過されて、清浄化された水が下流に流れ、川がきれいになる。
２．内部の栗石にバクテリアが棲息し、水の浄化作用がより一層向上する。
３．堰堤がコンクリート製の場合は堰堤が水の抵抗となって大きな水圧が堰堤にかかり、その水圧に耐えるように耐水圧を高めるためには強度に優れたものにしなければならず、堰堤が大規模になり、構築が面倒であり、コストも高くなるが、本発明の堰堤は水が通過する通水型であるためそのような課題は一切ない。
【００１８】
本発明の請求項２の河川の通水型堰堤構造は、積み石部分の自然石のうち、下流側上部の自然石の下流側側面に止め具を取り付け、上下の自然石の止め具同士を鎖で連結したので、止め具も鎖も積み重ねられた自然石の側面には突出するが上面には突出しない。このため、止め具や鎖に釣り針や釣り糸が引っかかることがなく、魚が傷ついたり、死んだりすることがない。また、積み石が安定し、水流で崩壊しにくくなる。また、積んだ全ての自然石を連結する場合よりも連結作業が容易になり、連結作業の労力も軽減される。しかも、堰堤は上の石が崩壊しないと下方の崩れにくいため、上の石を連結した本発明の通水型堰堤は、崩壊しにくいものとなる。
【００１９】
本発明の河川の通水型堰堤構造の下流側の川底に自然石を敷設した場合は、堰堤の基礎である川底が安定し、堰堤が安定する。
【００２０】
本発明の河川の通水型堰堤構造で、外周の敷石同士だけを連結した場合は、全ての敷石を連結する場合よりも連結作業が容易になり、連結作業の労力も軽減される。しかも、連結された自然石が移動しない限り、内側の自然石も移動せず、敷石全体が安定する。また、外周の自然石の下流側側面に止め具を取付け、その止め具を鎖で連結するので、止め具や鎖に流木や塵芥が引っかかることがなく、流木や塵芥が川底に溜って川が汚染されたり、水の流れが悪くなって洪水の一因となるといったこともない。更には、流水で敷石が移動したり、流されたりすることもない。しかも、鎖は数個の環を繋いだ短いものであるため、連結された自然石の動きが規制されて動きにくくなり、流水による自然石の位置ずれがほとんどない。また、数個の環が繋がれている分だけ、鎖で連結された自然石は水流で多少動くことができるため、全く動かない場合よりも水流の抵抗が小さくなり、自然石が位置ずれしにくくなる。
【００２１】
本発明の河川の通水型堰堤構造で、川底に枠を設置し、その枠の内側に多数の自然石を敷いた場合は、自然石の位置決めが容易になり、敷いた自然石が位置ずれしにくくなる。
【図面の簡単な説明】
【図１】本発明の通水型堰堤構造における敷石構造の一例を示す平面図。
【図２】（ａ）は本発明の通水型堰堤構造の一例を示す側面図、（ｂ）は（ａ）における連結部分の詳細図。
【図３】本発明の通水型堰堤構造の一例を示す正面図。
【図４】本発明の通水型堰堤構造の積み石構造の一例を示す側面図。
【図５】本発明の通水型堰堤構造における水の流れの説明図。
【図６】本発明の通水型堰堤構造における水の流れの詳細説明図。
【図７】本発明の通水型堰堤構造の平面図。
【図８】川底の一部に石を敷いた河川の平面概要図。
【符号の説明】
１  自然石
２  川底
３  止め具
４  鎖
５  枠
６  通水型堰堤
１０ａ  上流側の石積み部分
１０ｂ  下流側の石積み部分
１１  中込め部分
【図１】
0003611540.tif 000002
【図２】
0003611540.tif 000003
【図３】
0003611540.tif 000004
【図４】
0003611540.tif 000005
【図５】
0003611540.tif 000006
【図６】
0003611540.tif 000007
【図７】
0003611540.tif 000008
【図８】
0003611540.tif 000009